(57)【要約】【課題】ネットブラケットの、アーム部材を縮小した収納時の安定性の確保を実現する。【解決手段】ネットブラケットを構成する取り付け部は、被取り付け対象に固定される。アーム取り付け部は、孔部を有し、取り付け部に固定される。基部側アーム部材は、孔部に入り込む回転軸を有し、アーム取り付け部に回転自在に取り付けられる。先端側アーム部材は、基部側アーム部材に伸縮自在に取り付けられる。孔部の一部をなすアーム部材伸縮方向ガイドは、アーム部材の伸縮方向の延長上に回転軸をガイドする。孔部の一部をなしアーム部材伸縮方向ガイドから枝分かれするアーム部材収納方向ガイドは、先端にガイド回転軸保留部を有し、アーム部材伸縮方向ガイドの一部からアーム部材伸縮方向ガイドと交差方向に回転軸をガイドする。【選択図】図１
2011058207.tif 000002
【特許請求の範囲】
【請求項１】
被取り付け対象に固定される取り付け部と、
孔部を有し、前記取り付け部に固定されるアーム取り付け部と、
前記孔部に入り込む回転軸を有して、前記アーム取り付け部に回転自在に取り付けられる基部側アーム部材と、
前記基部側アーム部材に伸縮自在に取り付けられる先端側アーム部材と、
前記孔部の一部を構成し、前記基部側アーム部材に対する前記先端側アーム部材の伸縮方向のほぼ延長上に前記回転軸が移動するのをガイドするアーム部材伸縮方向ガイドと、
前記孔部の一部を構成して前記アーム部材伸縮方向ガイドから枝分かれし、当該アーム部材伸縮方向ガイドと交差する方向に前記回転軸が移動するのをガイドするアーム部材収納方向ガイドと、
前記アーム部材伸縮方向ガイドと前記アーム部材収納方向ガイドとのいずれにも設けられ前記ガイド回転軸を保留するガイド回転軸保留部と、
を備えるネットブラケット。
【請求項２】
被取り付け対象に固定される取り付け部と、
前記取り付け部に固定されるアーム取り付け部と、
前記孔部に入り込む回転軸を有して、前記アーム取り付け部に回転自在に取り付けられる基部側アーム部材と、
前記基部側アーム部材に伸縮自在に取り付けられる先端側アーム部材と、
前記アーム取り付け部に形成され、前記基部側アーム部材に対する前記先端側アーム部材の伸縮方向のほぼ延長上に前記回転軸が移動するのをガイドするアーム部材伸縮方向ガイドと、
前記アーム部材伸縮方向ガイドに設けられ前記ガイド回転軸を保留するガイド回転軸保留部と、
を備えるネットブラケット。
【請求項３】
被取り付け対象に固定される取り付け部と、
前記取り付け部に固定されるアーム取り付け部と、
前記孔部に入り込む回転軸を有して、前記アーム取り付け部に回転自在に取り付けられる基部側アーム部材と、
前記基部側アーム部材に伸縮自在に取り付けられる先端側アーム部材と、
前記アーム取り付け部に形成され、前記基部側アーム部材に対する前記先端側アーム部材の伸縮方向と交差する方向に前記回転軸を移動させ更にこの回転軸を前記伸縮方向と平行にガイドするアーム部材収納方向ガイドと、
前記アーム部材収納方向ガイドに設けられ前記ガイド回転軸を保留するガイド回転軸保留部と、
を備えるネットブラケット。
【発明の詳細な説明】
【技術分野】
【０００１】
本発明は、ネットブラケットに関する。詳細には、建築物の周囲に設置される仮設足場に基部が取り付けられ、その先端等で保護用ネットを掛け止めるネットブラケットに関する。
【背景技術】
【０００２】
一般に、ネットブラケットの基部は、仮設足場の足場支柱に取り付けられる。ネットブラケットからは、アーム部材が突設する。アーム部材の先端側の部分には、保護用ネットが掛け止められる。足場支柱から保護用ネットの掛け止め必要箇所までの距離は、保護用ネットを掛け止める場所の必要度によって異なる。そのため、従来、仮設足場の状況に応じて、アーム部材の長さが異なる数種類のネットブラケットを予め用意して、前記距離に応じてアーム部材の長さの異なるネットブラケットを選択して使用することが行われている。
【０００３】
特許文献１、特許文献２および特許文献３に記載のネットブラケットにおいて、アーム部材は、基部側アーム部材と先端側アーム部材との二つの部材から構成される。ここで、先端側アーム部材は基部側アーム部材に対して伸縮自在である。そして、伸縮された先端側アーム部材は、蝶ネジで基部側アーム部材に固定されている。そのため、特許文献１ないし特許文献３によれば、各アーム部材は、それぞれ基部側アーム部材と先端側アーム部材とからなるアーム部材全長が調整可能となるので、敢えて数種類のネットブラケットを用意する必要はない、とされる。
【先行技術文献】
【特許文献】
【０００４】
【特許文献１】特開２００２−１４７０２５号公報
【特許文献２】特開２００４−２３８８１３号公報
【特許文献３】特開平７−３１７２９８号公報
【発明の概要】
【発明が解決しようとする課題】
【０００５】
しかしながら、特許文献１に記載のネットブラケットは、アーム部材全長の伸縮長は充分なものとはいえない。また、特許文献２、特許文献３に記載のネットブラケットでは、スリットは設けられているものの、このスリットは鉛直方向等に設けられており、アーム部材の伸縮方向の延長上あるいは水平方向に設けられているものではない。したがって、これらは、アーム部材の伸縮方向の延長上に回転軸が移動するのをガイドするものでもない。そのためこれら文献記載のアーム部材全長の伸縮長は充分なものとは言えない。
【０００６】
また、特許文献１ないし特許文献３のいずれに記載のネットブラケットも、アーム部材を縮小したネットブラケット収納時の安定性を考慮したものとは言えない。
【０００７】
本発明の目的は、アーム部材全長の伸縮長さを拡大するとともに、アーム部材を縮小した収納時のネットブラケットの安定性の確保を実現することである。
【課題を解決するための手段】
【０００８】
請求項１に記載のネットブラケットは、被取り付け対象に固定される取り付け部と、孔部を有し、前記取り付け部に固定されるアーム取り付け部と、前記孔部に入り込む回転軸を有して、前記アーム取り付け部に回転自在に取り付けられる基部側アーム部材と、前記基部側アーム部材に伸縮自在に取り付けられる先端側アーム部材と、前記孔部の一部を構成し、前記基部側アーム部材に対する前記先端側アーム部材の伸縮方向のほぼ延長上に前記回転軸が移動するのをガイドするアーム部材伸縮方向ガイドと、前記孔部の一部を構成して前記アーム部材伸縮方向ガイドから枝分かれし、当該アーム部材伸縮方向ガイドと交差する方向に前記回転軸が移動するのをガイドするアーム部材収納方向ガイドと、前記アーム部材伸縮方向ガイドと前記アーム部材収納方向ガイドとのいずれにも設けられ前記ガイド回転軸を保留するガイド回転軸保留部と、を備える。
【０００９】
請求項２に記載のネットブラケットは、被取り付け対象に固定される取り付け部と、前記取り付け部に固定されるアーム取り付け部と、前記孔部に入り込む回転軸を有して、前記アーム取り付け部に回転自在に取り付けられる基部側アーム部材と、前記基部側アーム部材に伸縮自在に取り付けられる先端側アーム部材と、前記アーム取り付け部に形成され、前記基部側アーム部材に対する前記先端側アーム部材の伸縮方向のほぼ延長上に前記回転軸が移動するのをガイドするアーム部材伸縮方向ガイドと、前記アーム部材伸縮方向ガイドに設けられ前記ガイド回転軸を保留するガイド回転軸保留部と、を備える。
【００１０】
請求項３に記載のネットブラケットは、被取り付け対象に固定される取り付け部と、前記取り付け部に固定されるアーム取り付け部と、前記孔部に入り込む回転軸を有して、前記アーム取り付け部に回転自在に取り付けられる基部側アーム部材と、前記基部側アーム部材に伸縮自在に取り付けられる先端側アーム部材と、前記アーム取り付け部に形成され、前記基部側アーム部材に対する前記先端側アーム部材の伸縮方向と交差する方向に前記回転軸を移動させ更にこの回転軸を前記伸縮方向と平行にガイドするアーム部材収納方向ガイドと、前記アーム部材収納方向ガイドに設けられ前記ガイド回転軸を保留するガイド回転軸保留部と、を備える。
【発明の効果】
【００１１】
請求項１ないし３のいずれに記載のネットブラケットの発明によっても、基部側アーム部材に設けられた回転軸がアーム部材の伸縮方向の延長線上にガイドされて移動し、回転軸がガイド回転軸保留部に保留されるので、アーム部材全長の伸縮長さを拡大することができ、また、アーム部材を縮小したネットブラケット収納時に、ネットブラケットの安定性の確保を実現することができる。
【図面の簡単な説明】
【００１２】
【図１】第一の実施の形態における、ネットブラケットの先端側アーム部材縮小状態の正面図である。
【図２】ネットブラケットのアーム取り付け部の右側面図である。
【図３】ネットブラケットの先端側アーム部材伸張状態かつ回転軸はアーム部材伸縮方向ガイドの取り付け部側に移動された状態の正面図である。
【図４】ネットブラケットの先端側アーム部材伸張状態かつ回転軸はアーム部材伸縮方向ガイドの先端側アーム部材側に移動された状態の正面図である。
【図５】ネットブラケットの先端側アーム部材伸張状態かつ回転軸はアーム部材伸縮方向ガイドの先端側アーム部材側に移動された状態の底面図である。
【図６】ネットブラケットの収納状態の正面図である。
【図７】ネットブラケットの収納状態の背面図である。
【図８】ネットブラケットのアーム取り付け部の正面拡大図である。
【図９】第二の実施の形態における、ネットブラケットの先端側アーム部材伸張状態かつ回転軸はアーム部材伸縮方向ガイドの先端側アーム部材側に移動された状態の正面図である。
【図１０】第三の実施の形態における、ネットブラケットの先端側アーム部材伸張状態かつ回転軸はアーム部材収納方向ガイドの上端側に移動された状態の正面図である。
【図１１】第三の実施の形態における、ネットブラケットの収納状態の正面図である。
【発明を実施するための形態】
【００１３】
実施の一形態を、図１ないし図８に基づいて説明する。本実施の形態を、説明の便宜上、第一の実施の形態と呼ぶ。図１は、ネットブラケットの先端側アーム部材縮小状態の正面図である。また、図２は、ネットブラケットのアーム取り付け部の右側面図である。また、図３は、ネットブラケットの先端側アーム部材伸張状態かつ回転軸はアーム部材伸縮方向ガイドの取り付け部側に移動された状態の正面図である。また、図４は、ネットブラケットの先端側アーム部材伸張状態かつ回転軸はアーム部材伸縮方向ガイドの先端側アーム部材側に移動された状態の正面図である。また、図５は、ネットブラケットの先端側アーム部材伸張状態かつ回転軸はアーム部材伸縮方向ガイドの先端側アーム部材側に移動された状態の平面図である。また、図６は、ネットブラケットの収納状態の正面図である。また、図７は、ネットブラケットの収納状態の背面図である。また、図８は、ネットブラケットのアーム取り付け部の正面拡大図である。
【００１４】
１１は、ネットブラケットに設けられる取り付け部である。取り付け部１１は、被取り付け対象（図示せず）に固定される。被取り付け対象となるのは、この実施の形態では、仮設足場の足場支柱である。このため、取り付け部１１として、この実施の形態ではクランプが示されている。
【００１５】
２１は、アーム取り付け部である。アーム取り付け部２１は、二枚の板状体２２、２３を有し、コ字形状をなしている。板状体２２と板状体２３とは、この実施の形態では金属板からなる。アーム取り付け部２１は、取り付け部１１に取り付けられる。板状体２２と板状体２３との間には、アーム支持具２４が設けられている。アーム支持具２４は、この実施の形態では、板状体２２の外側からアーム取り付け部２１に装着されるボルト、および、板状体２３の外側からボルトの軸部に螺合するナットからなる。
【００１６】
板状体２２、板状体２３には、それぞれ、孔部ＨＬが設けられる。本実施の形態において、孔部ＨＬは、アーム部材伸縮方向ガイド３１及びアーム部材収納方向ガイド３２を形成している。アーム部材伸縮方向ガイド３１と、アーム部材収納方向ガイド３２とは、金属板を貫通させて溝状に設けられる。
【００１７】
２５は、根元フックである。根元フック２５には、ネットが掛止される。
【００１８】
４１は、基部側アーム部材である。基部側アーム部材４１は、金属パイプで形成され、アーム部材の一部を構成する。基部側アーム部材４１における取り付け部１１側の端部には、回転軸４２が設けられる。回転軸４２は、この実施の形態では、ボルトおよびこれに螺合するナットからなる。回転軸４２は、アーム取り付け部２１の孔部ＨＬ内を移動可能に、この孔部ＨＬに嵌め込まれて取り付けられる。本実施の形態において、回転軸４２は、アーム部材伸縮方向ガイド３１およびアーム部材収納方向ガイド３２に沿って移動する。なお、回転軸４２の両端部には抜止部が設けられていて、回転軸４２は孔部ＨＬから脱落しないようになっている。本実施の形態において、この抜止部の役割を果たすのは、ボルト頭及びナットである。
【００１９】
アーム部材伸縮方向ガイド３１は、孔部ＨＬの一部をなしてアーム取り付け部２１に設けられ、基部側アーム部材４１の伸縮方向のほぼ延長上に回転軸４２をガイドする。この「ほぼ延長上」というのは、全くの延長上でなくともよい、ということを意味する。一例として、アーム部材伸縮方向ガイド３１がほぼ水平に延びているのに対し（図１参照）、基部側アーム部材４１の伸縮方向は、このアーム部材伸縮方向ガイド３１がなす水平に対してほぼ２０度だけ傾いた方向である。とどのつまり、アーム部材伸縮方向ガイド３１は、基部側アーム部材４１の伸縮を邪魔しない範囲の角度をなすよう延びていればよい。好ましくは、アーム部材伸縮方向ガイド３１は、根元フック２５と先端フック４７（後述）とを結ぶ仮想線を水平に保ったままで基部側アーム部材４１を伸縮させるよう形成されていると良い。
【００２０】
アーム部材収納方向ガイド３２は、孔部ＨＬの一部をなしてアーム取り付け部２１に設けられる。このアーム部材収納方向ガイド３２は、アーム部材伸縮方向ガイド３１から枝分かれして延び、このアーム部材伸縮方向ガイド３１に沿って移動する回転軸４２をアーム部材伸縮方向ガイド３１と交差する方向にガイドする。この実施の形態において、この「交差する方向」とは、アーム部材伸縮方向ガイド３１に対しほぼ垂直となる方向である。
【００２１】
３３、３４、３６はガイド回転軸保留部である。そのうち、３３、３４は、伸縮方向ガイド回転軸保留部である。伸縮方向ガイド回転軸保留部３３、３４は、アーム部材伸縮方向ガイド３１の両端部に、アーム部材収納方向ガイド３２がアーム部材伸縮方向ガイド３１から枝分かれして延びている方向とは反対方向に設けられる。本実施の形態において、伸縮方向ガイド回転軸保留部３３、３４は、アーム部材収納方向ガイド３２から、上方に向けて溝状に設けられる。
【００２２】
３５は、収納方向補助ガイドである。収納方向補助ガイド３５は、アーム部材収納方向ガイド３２の先端の一部をなしていてアーム部材伸縮方向ガイド３１と平行をなす方向に屈曲して設けられる。本実施の形態において、収納方向補助ガイド３５は、水平方向に溝状に設けられる。
【００２３】
３６は、収納方向ガイド回転軸保留部である。収納方向ガイド回転軸保留部３６は、収納方向補助ガイド３５に設けられる。本実施の形態では、収納方向ガイド回転軸保留部３６は、収納方向補助ガイド３５の先端で、アーム部材伸縮方向ガイド３１に向かう方向に溝状に設けられる。
【００２４】
４３は、先端側アーム部材である。また、４４は、中間アーム部材である。中間アーム部材４４は、基部側アーム部材４１に伸縮自在に取り付けられる。先端側アーム部材４３は、中間アーム部材４４に伸縮自在に取り付けられる。このようにして、本実施の形態では、アーム部材は、基部側アーム部材４１と中間アーム部材４４と先端側アーム部材４３とから構成される。
【００２５】
４５、４６は蝶ネジである。蝶ネジ４５は、基部側アーム部材４１と中間アーム部材４４とを相互に固定する。蝶ネジ４６は、中間アーム部材４４と先端側アーム部材４３とを相互に固定する。蝶ネジ４５、４６を固定したり解除したりすることで、基部側アーム部材４１と中間アーム部材４４と先端側アーム部材４３とは互いにスライドし、アーム部材全体が伸縮自在となる。
【００２６】
４７は、先端フックである。先端フック４７は、先端側アーム部材４３の先端に取り付けられ、ネットが掛止される。
【００２７】
本実施の形態のネットブラケットでは、アーム部材（中間アーム部材４４、先端側アーム部材４３、基部側アーム部材４１）の伸縮方向の延長上に回転軸４２をガイドするアーム部材伸縮方向ガイド３１によって、基部側アーム部材４１がアーム取り付け部２１に固定されることなく、アーム取り付け部２１に対し移動自在となっている。これにより、アーム部材全長の伸縮長さを拡大することができる。
【００２８】
更に、この実施の形態によれば、アーム部材伸縮方向ガイド３１の一部からアーム部材伸縮方向ガイド３１と交差する方向に、回転軸４２をガイドするアーム部材収納方向ガイド３２が枝分かれして延びている。このアーム部材収納方向ガイド３２にしたがって基部側アーム部材４１を移動させることで、アーム部材を縮小した収納時の安定性の確保を実現することができる。
【００２９】
更に、伸縮方向ガイド回転軸保留部３３、３４、収納方向ガイド回転軸保留部３６のいずれかに回転軸４２を固定することで、アーム部材は動かなくなり、しかも確実に固定される。特に、このネットブラケットを収納する場合には、図６、図７に図示されるように、基部側アーム部材４１の内部に収納されるように、先端側アーム部材４３と中間アーム部材４４とをスライドさせてアーム部材全体を縮小し、続いてこの縮小したアーム部材全体を取り付け部１１側に折り曲げる。次いで、蝶ネジ４５、４６でアーム部材を構成する基部側アーム部材４１と先端側アーム部材４３と中間アーム部材４４とを相互を固定し、回転軸４２を収納方向ガイド回転軸保留部３６に収納する。ここで、回転軸４２がボルト及びナットで構成されている場合、回転軸４２を収納方向ガイド回転軸保留部３６に収納させた後にナットをボルトに対して回転して、板状体２２，２３をボルト頭及びナットで締め付けて固定するようにしてもよい。こうすると、回転軸４２は、収納方向ガイド回転軸保留部３６から移動しないし、特に、天地を逆にしてネットブラケットを設置しても、回転軸４２は移動しなくなり、アーム部材全体が動かなくなる。
【００３０】
本実施の形態のネットブラケットは、以下の事情に鑑みて生み出されたものである。すなわち、従来、建設現場等に設けられる足場支柱からこれに掛けられる保護用ネットの掛け止め必要箇所までの距離は、この支柱の設置位置と建築物との隙間の距離（一般には、５００ｍｍ以下）によって異なる。このような事情から、ネットブラケットの設置を要するかかる隙間は、一般には、２００ｍｍ〜５００ｍｍであることが多い。
【００３１】
このため、従来、落下防止用として設置されるネットブラケットとしては、その距離の大小に応じて、一般には、単尺用（全長が２００ｍｍ以上３００ｍｍ以下のもの）と長尺用（３００ｍｍ以上５００ｍｍ以下のもの）との二種類のネットブラケットを適時使い分けていた。例えば、特許文献１のごとき二本の伸縮用アームにて構成されたネットブラケットでは、２００ｍｍ〜３００ｍｍｍ用のものと、３００ｍｍ〜５００ｍｍ用のものとが多く用いられてきた。そのため、在庫スペースが二倍必要になっていた。
【００３２】
また、ネットブラケットの使用に際して保護用ネットやアーム部材を建築物から一時的に離しておかなければならなくなる場合がある。この場合、アーム部に設けられた回転軸を支点としてアーム部を天井方向に折り曲げ、起立収納しておく必要がある。そのため、従来、特許文献３のごとく、支柱の取付部と建築物との距離方向（水平方向）に対して垂直となる方向（鉛直方向）に１軸の長孔溝（スリット）を基部に設け、回転軸を長孔溝下端に移動し、アーム部を起立させてコンパクトに収納していた。
【００３３】
ここで、２００ｍｍ〜５００ｍｍの伸縮を可能とするアーム機構を考えると、物理的な制約から四本以上のアーム部を要し、各中間アームを固定するための蝶ネジ等を多く設ける必要がある。また、先端側アーム部材の必要強度を考慮すると、基部側アーム部材の径が大きくなり、加えて、アーム部は一般に鋼製材で構成されるものであって過重量となるため、実用的でない。さらに、作業前後における部材の搬送に際してアーム部材の回転軸を起立収納用溝下端に移動させ起立収納状態で搬送するために天地逆転して搬送しようとすると、回転軸は、長孔溝（スリット）をガイドとして容易に移動してしまう。このため、アーム部が滑り出し、作業者の足元や階段等にぶつかり搬送作業性を悪化させる原因となっている。
【００３４】
このような事情に鑑み、本実施の形態のネットブラケットに係る発明が生まれた。本実施の形態のネットブラケットは、足場支柱と建築物との隙間に設置される保護用ネットブラケットのうち２００ｍｍ〜５００ｍｍの隙間を満足する三本以下の伸縮アーム部を要し、従来品（２〜３ｋｇ）並みの軽量化を実現する。且つ、本実施の形態のネットブラケットは、アーム部材を起立収納した後、搬送時に天地逆転しても収納用長孔溝（スリット）を回転軸が容易に移動しアーム部が滑り出ない構造を有している。このため、収納時の安定性の確保と、収納スペースのコンパクト化が実現されるのである。
【００３５】
なお、別の実施の形態として、アーム部材は、中間アーム部材４４を省略して部品数を少なくし、基部側アーム部材４１及び先端側アーム部材４３という二つのアーム部材からなってもよい。その場合のネットブラケットは、アーム部材伸縮方向ガイド長の長い溝形状を有するアーム取り付け部で構成されることとなり、収納時のアーム伸縮方向側の大きさがその分大きくなる。
【００３６】
次いで、別の実施の一形態を、図９に基づいて説明する。本実施の形態を、説明の便宜上、第二の実施の形態と呼ぶ。この場合、第一の実施の形態と同一の部分には同一の符号を付し、説明を省略する。図９は、ネットブラケットの先端側アーム部材伸張状態かつ回転軸はアーム部材伸縮方向ガイドの先端側アーム部材側に移動された状態の正面図である。本実施の形態において、孔部ＨＬは、枝分かれになっておらず、アーム部材伸縮方向ガイド３１のみを形成している。
【００３７】
本実施の形態のネットブラケットでは、アーム部材（中間アーム部材４４、先端側アーム部材４３、基部側アーム部材４１）の伸縮方向の延長上に回転軸４２をガイドするアーム部材伸縮方向ガイド３１によって、基部側アーム部材４１がアーム取り付け部２１に固定されることなく、アーム取り付け部２１に対し移動自在となり、アーム部材全長の伸縮長さを拡大することができる。そして、伸縮方向ガイド回転軸保留部３３、３４のいずれかに回転軸４２を固定することで、アーム部材は動かなくなり、しかも確実に固定される。
【００３８】
次いで、別の実施の一形態を、図１０及び図１１に基づいて説明する。本実施の形態を、説明の便宜上、第三の実施の形態と呼ぶ。この場合、第一の実施の形態と同一の部分には同一の符号を付し、説明を省略する。図１０は、ネットブラケットの先端側アーム部材伸張状態かつ回転軸はアーム部材収納方向ガイドの上端側に移動された状態の正面図である。図１１は、ネットブラケットの収納状態の正面図である。本実施の形態において、孔部ＨＬは、枝分かれになっておらず、アーム部材収納方向ガイド３２のみを形成している。そして、このアーム部材収納方向ガイド３２は、第一の実施の形態における伸縮方向ガイド回転軸保留部３４に対応する箇所に設けられる別のガイド回転軸保留部３４’と、収納方向ガイド回転軸保留部３６とを繋ぐように延びている。より詳細には、アーム部材収納方向ガイド３２は、図１０に示すように、伸縮方向に交差する方向にガイド回転軸保留部３４’から延び、そこから収納方向補助ガイド３５を設けて更に伸縮方向と平行に延び、その先端に収納方向ガイド回転軸保留部３６を設けている。
【００３９】
本実施の形態のネットブラケットでは、アーム部材収納方向ガイド３２にしたがって回転軸４２をアーム伸縮方向と同様の水平方向に設けられた収納方向補助ガイド３５内の水平部位に移動させることで、ネットブラケットを天地逆転しても回転軸４２がアーム部材収納方向ガイド３２の状態にあるガイド回転軸保留部３４’の位置に戻り、アーム部材が床面方向に飛び出すことが無くなり、さらに、アーム部材を縮小した収納時の安定性の確保を実現することができる。そして、ガイド回転軸保留部３４’及び収納方向ガイド回転軸保留部３６のいずれかに回転軸４２を固定することで、アーム部材は動かなくなり、しかも確実に固定される。
【符号の説明】
【００４０】
１１  取り付け部
２１  アーム取り付け部
３１  アーム部材伸縮方向ガイド
３２  アーム部材収納方向ガイド
３５  収納方向補助ガイド
３３、３４（３４’）、３６  ガイド回転軸保留部
４１  基部側アーム部材
４２  回転軸
４３  先端側アーム部材
ＨＬ  孔部
【図１】
2011058207.tif 000003
【図２】
2011058207.tif 000004
【図３】
2011058207.tif 000005
【図４】
2011058207.tif 000006
【図５】
2011058207.tif 000007
【図６】
2011058207.tif 000008
【図７】
2011058207.tif 000009
【図８】
2011058207.tif 000010
【図９】
2011058207.tif 000011
【図１０】
2011058207.tif 000012
【図１１】
2011058207.tif 000013